(57)【特許請求の範囲】
【請求項１】
口部と肩部、胴部、底部とからなり、容器口部に液注出装置を取着した容器のキャップであって、
キャップは、中蓋とオーバーキャップとからなり、
中蓋は、液注出装置の外筒に嵌挿される嵌合筒と、液注出装置を覆う上板とを具備しており、
オーバーキャップは、上板に取着された天板と、上端部が天板の側周壁に取着され、容器胴部の下方部までを覆う可撓性を有する薄肉のカバー筒とを具備していることを特徴とする容器のキャップ。
【発明の詳細な説明】
【０００１】
【発明の属する技術分野】
本発明は、容器のキャップ、特に容器の胴部を被うようにしたオーバーキャップに関する。
【０００２】
【発明が解決しようとする課題】
化粧料、香料、薬用液などの内容液を入れた容器では、容器の胴部に、原料、使用方法などを印刷したラベル、フイルム等を貼着していた。
そのため、高価な内容液を入れた小さい容器の場合には、文字が小さくなり、読みづらいという問題があり、仕様書を別添しなければならなかった。
また、遮光を必要とする内容液の場合には、容器自体を濃色に着色したり、遮光性のフイルム、ラベルで容器胴部を被わなければならないという問題があり、残液を外から確認できないというような問題点もあった。
残液を確認するため胴部の一部を残してラベル等を貼着しょうとすると、ラベルを位置決めして貼着しなければならず、貼着装置、工程も複雑になり、生産コストを低くすることができなかった。
【０００３】
本発明は、上記の問題点を解決すること、キャップを容易に能率よく製造して生産性を高め、生産コストを低くするようにすることを課題として、オーバーキャップで容器胴部を被うようにした新規なキャップを提供することを目的とする。
【０００４】
【課題を解決するための手段】
本発明は、上記の課題を解決するため、容器のキャップとして、口部と肩部、胴部、底部とからなり、容器口部に液注出装置を取着した容器のキャップであって、キャップは、中蓋とオーバーキャップとからなり、中蓋は、液注出装置の外筒に嵌挿される嵌合筒と、液注出装置を覆う上板とを具備しており、オーバーキャップは、上板に取着された天板と、上端部が天板の側周壁に取着され、容器胴部の下方部までを覆う可撓性を有する薄肉のカバー筒とを具備していることを特徴とする構成を採用する。
【０００５】
ここでいう液注出装置は、ポンプを具えた噴霧装置、吐出装置が含まれ、さらには内キャップを具えた押出容器、注出容器なども含まれる。
押出容器、注出容器の場合には、中蓋の嵌合筒は、内キャップ外周に嵌挿される。
【０００６】
【発明の実施の形態】
次に、本発明の実施形態について、図面を参照して説明する。
図１において、Ａは容器、Ｂは容器口部に嵌挿されたポンプとそのステムに取着された噴霧器からなる噴霧装置、Ｃは容器口部外周に取着された噴霧装置の案内筒、Ｄはキャップである。
【０００７】
容器Ａは、口部１と肩部２、胴部３、底部４とからなっており、ガラスまたは合成樹脂で成形されている。
胴部３の断面形状は、円形、楕円形、多角形または異形断面とすることができる。
【０００８】
噴霧装置Ｂは、容器Ａの口部に取着されたポンプとそのステムに取着された噴霧器については周知のものであるので、詳しい説明は省略する。
【０００９】
案内筒Ｃは、噴霧装置の上下動案内筒部を具え、口部１外周に螺合するように取着された外筒５を備えており、外筒５の下端外周縁には、膨出環６が設けられている。
【００１０】
キャップＤは、中蓋Ｄ１と、該中蓋Ｄ１に取着されたオーバーキャップＤ２とからなっている。
図２，３に示すように、中蓋Ｄ１は、前記外筒５に嵌挿される嵌合筒７と、該嵌合筒７の上端に連設され、嵌合筒７上部とともに噴霧装置Ｂを覆う上板８とを具えている。
嵌合筒７の下端には、等間隔をおいて、縦方向に延びる複数のスリット９が刻設されており、下端内周には、外筒５下端に設けられた膨出環６に嵌合する膨出部１０が設けられている。
【００１１】
嵌合筒７を外筒５に嵌挿したときには、嵌合筒７の下端は、容器Ａの肩部２に衝接し、膨出部１０が膨出環６の下側に係合する。
その際、スリット９が設けられていることで、嵌合筒７の下端縁の膨出部１０は、膨出環６を乗り越えて下降し、嵌合筒７の下端部は、外筒５に弾接保持されるようになっている。
【００１２】
上板８の外周は、嵌合筒７の上端外周にフランジ状に広がっており、その周縁部上面には、突出リング１１が突設されている。
該突出リング１１の中側には上板中央部から放射状に延びる複数のリブ１２が等間隔を置いて突設されている。
リブ１２によって、突出リング１１の内側にホットメルト接着剤またはその他の接着剤が保持されるようになっている。
【００１３】
図４に示すように、オーバーキャップＤ２は、天板１３と、該天板１３に取着されたカバー筒１４とからなっている。
天板１３の周縁から、一定の段部１５を形成して側周壁１６が垂設されており、側周壁１６の外周には、カバー筒１４の上端部内周が、その上端縁を段部１５に衝接させるようにして取着される。
取着の方法には、公知のチューブ容器における容器口部とチューブとの溶着方法が適用されるが、ホットメルト、接着剤によって接着するようにしてもよい。
【００１４】
カバー筒１４は、アルミ箔、または合成樹脂を素材として押出成形によってチューブ状に成形され、胴部３の所定部分を覆うような長さにカットされている。
カバー筒表面には、必要な表示面、色彩模様等が印刷されている。
印刷方法として、シルクスクリーン印刷、オフセット印刷、ホットスタンプ、転写などが採用される。
【００１５】
次に、本発明のキャップの作用効果について説明する。
本発明のキャップは、中蓋と天板はそれぞれ射出成形によって成形され、カバー筒は押出成形により長尺のチューブとして成形され、所定長さに切断される。キャップの形成に当たっては、まず中蓋の上板上面と、天板裏面が接着され、次いで天板の側周壁外周にカバー筒の上端部内周を接着させる。
【００１６】
その際、上板の上面には、突出リング１１とリブ１２が設けられているので、ホットメルト接着剤その他の接着剤を突出リング１１内の全面にほぼ均一にかつ面一に保持することができ、中蓋の上板と天板とを正確にかつ容易に接着することができる。
【００１７】
また、カバー筒は、長尺のチューブを所定の長さに切断して天板側周壁に接着するようにしているので、切断に当たって容器の高さ、内容液が必要とする遮光性に応じて切断長さを調節することが容易にでき、また、薄肉のチューブで柔軟であるので、キャップの開閉にあたって、胴部に若干の寸法の誤差があっても、容易に閉蓋することができる。
【００１８】
チューブの表面への印刷が容易にでき、容器胴部に印刷したラベルを貼着することもないので、貼着工程が省略できる。
【００１９】
また、実施形態では、胴部を円形とし、上板、天板を円形とした場合について説明したが、胴部の形状を楕円形、多角形、あるいは異形断面とする場合には、押出しチューブは柔軟性を持っているので、中蓋の上板、オーバーキャップの天板を胴部の形状と同一の形状とすることで、カバー筒の形状を適宜変更することができる。
とくに周長が同一であれば容器の胴部とオーバーキャップの形状の変更に際しても、一つの長尺チューブを用いることができる。
【００２０】
次にキャップ或いは容器の構成、形状等を変更した各種の実施例について説明する。
中蓋とオーバーキャップの接合について、前記実施形態では、中蓋の上板とオーバーキャップの天板を接着剤によって接着するようにしているが、リブを設けないで突出リングの上面に等間隔をおいて突起を配設し、超音波加工によって天板をセットすることができる。
【００２１】
また、実施形態では、中蓋とオーバーキャップの天板とを別々に成形して接着するようにしたが、一体として射出成形することができる。
その場合に、チュ−ブと、天板と同形の薄板とを接合したものを、天板の上に被嵌することもできる。
【００２２】
中蓋の上板と天板とが別体の場合のセット方法として、天板の側周壁内周下端に膨出環を設けて両者を嵌着させること、天板の内周または上板の外周に一定の締め代をもって嵌合する複数個の縦リブを設けて両者を嵌着させること、あるいは両者にねじを螺設して螺着させることができる。
【００２３】
前記実施形態では、内容液の液注出装置として、噴霧装置を用い、容器口部に噴霧装置を取着するようにしたが、噴霧装置に変えて、容器口部に取着されたポンプとそのステムに取着された吐出ノズルとからなる周知の吐出装置、容器胴部に押圧することによって、内容液を中栓あるいは内キャップに設けた注出口から押出するようにした押出容器とすることもできる。
容器口部に注出孔を有する中栓を嵌着し、注出孔を開閉する栓体を設けた内キャップを容器口部に取着し、栓体を開栓して少量の内容液を滴下させるようにした注出容器であってもよい。
【００２４】
カバー筒表面の加飾について、前記実施形態においては、カバー筒の表面に印刷により色彩模様等を付したが、加飾方法として打ち抜き模様、レリーフ模様を付けること、下端をフリーカットして、波形、山形等の適宜の模様形状を付けることもできる。
また、天板の上面に凹凸面により模様を付してもよい。
【００２５】
また、チューブの押出成形にあたって、周方向に等間隔に積層するように押し出すことによってストライプ模様を付けることもでき、同一の樹脂で押出成形する場合には、異色の樹脂を交互に配して、単層として押出成形することもできる。
【００２６】
【発明の効果】
本発明は、上記のように構成されているから、次の効果を奏する。
オーバーキャップを用いて容器の胴部の所定部分を覆うようにしているので、オーバーキャップを印刷、加飾により、容器の意匠効果を高めることが容易にできる。
【００２７】
また、内容液の必要に応じて遮光性を有するオーバーキャップを用い、内容液の光による劣化を防ぐとともに、残液が少なくなったときには、キャップを閉じた状態で、残液を容易に確認できるようになった。
【００２８】
オーバーキャップのカバー筒として、押出成形されたチューブを用いているので、適宜の高さに切断したり、印刷、加飾が容易にできる。
また、カバー筒として柔軟性、可撓性を有する薄肉の素材を用いているので、胴部の断面形状に合わせて、上板、天板を形成し、オーバーキャップの断面形状を適宜に変えることができる。
また、可撓性を有しているので、容器胴部への閉蓋が容易にできる。
【図面の簡単な説明】
【図１】本発明容器とキャップの一部断面正面図である。
【図２】中蓋の説明図で、（ａ）は上面図、（ｂ）は一部断面正面図である。
【図３】中蓋の底面図である。
【図４】オーバーキャップの一部断面正面図である。
【符号の説明】
Ａ      容器
Ｂ      噴霧装置
Ｃ      案内筒
Ｄ      キャップ
Ｄ１    中蓋
Ｄ２    オーバーキャップ
１      口部
２      肩部
３      胴部
４      底部
５      外筒
６      膨出環
７      嵌合筒
８      上板
９      スリット
１０    膨出部
１１    突出リング
１２    リブ
１３    天板
１４    カバー筒
１５    段部
１６    側周壁
【図１】
0003744744.tif 000002
【図２】
0003744744.tif 000003
【図３】
0003744744.tif 000004
【図４】
0003744744.tif 000005